(57)【要約】      （修正有）【課題】好適に動物を捕獲することが可能なシンプルな構成の動物捕獲装置を提供する。【解決手段】捕獲ネット１０と複数の第一支柱２０と連結部３０を備える動物捕獲装置１である。捕獲ネット１０は、地面Ｇの上方に設置され、地面Ｇに落下して、動物を捕獲する。第一支柱２０は、捕獲ネット１０を、地面Ｇの上方に設置するための支柱で、地面Ｇに対して立った状態で固定される。連結部３０は、第一支柱２０の上部に取り付けられた状態で、捕獲ネット１０を、第一支柱２０それぞれに連結する。連結部３０は、被吸引部とホルダを含む。被吸引部は、磁性体で形成され、捕獲ネット１０の外縁に取り付けられる。ホルダは、第一支柱２０の上部に取り付けられ、磁力が発生した状態と、発生していない状態に切り替えられ、磁力が発生した状態では被吸引部と連結され、発生していない状態では被吸引部と非連結状態となる。【選択図】図１
0003171225.tif 000002
【実用新案登録請求の範囲】
【請求項１】
屋外に設置され、動物を捕獲するための動物捕獲装置であって、
地面から所定の高さだけ上方となる位置で地面に対向するように設置され、設置された位置から地面に落下して、動物を捕獲する捕獲ネットと、
前記捕獲ネットを、地面から所定の高さだけ上方となる位置で地面に対向するように設置するための支柱であって、所定の間隔を隔てて、それぞれが地面に対して立った状態で固定される、複数の第一支柱と、
前記第一支柱が地面に固定された状態で、地面から所定の高さだけ上方となる前記第一支柱の上部に、それぞれ取り付けられると共に、前記第一支柱の上部に取り付けられた状態で、前記捕獲ネットの外縁に、それぞれ取り付けられ、前記捕獲ネットを、前記第一支柱それぞれに連結する、連結部と、を備え、
前記連結部は、
前記捕獲ネットの外縁に取り付けられ、磁性体によって形成される被吸引部と、
前記第一支柱の上部に取り付けられ、磁力が発生した状態と、磁力が発生していない状態と、に切り替えられ、磁力が発生した状態では、発生した磁力によって、前記被吸引部と連結された状態となり、磁力が発生していない状態では、前記被吸引部と非連結状態となる、ホルダと、を含む、動物捕獲装置。
【請求項２】
前記ホルダは、
給電されていない状態で、磁力を発生し、発生した磁力によって、前記被吸引部と連結された状態となり、
給電された状態では、磁力を発生せず、前記被吸引部と非連結状態となる、請求項１に記載の動物捕獲装置。
【請求項３】
前記連結部は、前記被吸引部と前記ホルダとが連結される連結方向のうち、前記被吸引部が設けられる側が開口し、且つ、前記連結方向に延在する、筒状である被覆部を、含み、
前記ホルダは、筒状である前記被覆部の内部空間に収容され、
前記被吸引部は、前記ホルダに連結される場合、前記被覆部の開口から、前記被覆部の内部空間に挿入され、
前記被覆部は、連結された状態の前記被吸引部及び前記ホルダを、前記被覆部の内部空間に収容する、請求項１又は請求項２に記載の動物捕獲装置。
【請求項４】
前記連結部は、前記ホルダを、前記第一支柱の上部に取り付けるための取付機構を含み、
前記取付機構は、
鉛直方向に延在する鉛直部分を含むフック部と、
前記フック部の鉛直部分を基準として、鉛直方向に移動し、且つ、回動すると共に、前記フック部に引っ掛けられるリング部と、を含み、
前記フック部は、前記被吸引部と前記ホルダとが連結される連結方向において前記被吸引部と連結される前記ホルダの面と反対側の面、及び、前記第一支柱の上部のうちの、何れか一方に取り付けられ、
前記リング部は、前記連結方向において前記被吸引部と連結される前記ホルダの面と反対側の面、及び、前記第一支柱の上部のうちの、何れか他方に取り付けられる、請求項１から請求項３の何れか１項に記載の動物捕獲装置。
【請求項５】
前記捕獲ネットは、
前記捕獲ネットの外縁を第一の方向に架設された金属製の第一線材と、
前記捕獲ネットの外縁を前記第一の方向に交差する第二の方向に架設された金属製の線材であって、前記第一線材と交差する第二線材と、を含み、
前記動物捕獲装置は、地面に固定されていない状態で、地面に立てられ、地面に接する一端と反対側である他端において、前記第一線材及び前記第二線材が交差する交差部に接し、地面から所定の高さだけ上方となる位置で地面に対向するように設置された前記捕獲ネットを、支持する第二支柱を、備える、請求項１から請求項４の何れか１項に記載の動物捕獲装置。
【考案の詳細な説明】
【技術分野】
【０００１】
本考案は、鳥獣類、例えば、烏、鹿、猿、猪等の動物を捕獲するための動物捕獲装置に関する。
【背景技術】
【０００２】
従来から、動物捕獲に関する技術が提案されている（例えば、特許文献１参照）。特許文献１には、動物を捕獲するために上方に支持した捕獲ネットを落下させる捕獲ネット落下装置が、開示されている。捕獲ネット落下装置は、比較的平坦な場所に複数本の支柱を立て、各支柱の上部に取り付けられる。捕獲ネット落下装置では、捕獲ネットの複数箇所に設けられた留め輪のそれぞれにロープを通し、ロープの一端の輪が、支柱に取り付けられた固定部材に掛けられる。支柱には、ベース板が水平に取り付けられ、その上面に垂直板が固定され、変位部材が、回転変位可能なように、垂直板に取り付けられる。変位部材は、先端に連結部分を有し、ロープの他端の輪が、連結部分に引っ掛けられる。ベース板には、ソレノイドアクチュエータも取り付けられる。ソレノイドアクチュエータには、その動作部分にシャフトが連結される。変位部材及びシャフトは、鋼材で形成される。ソレノイドアクチュエータが通電されていないときは、先へ伸びたシャフトに、変位部材の接触部分が接触し、変位部材の変位が拘束され、連結部分にロープの他端が掛け止められる。これによって、捕獲ネットが上方に支持される。ソレノイドアクチュエータが通電されてシャフトがソレノイド寄りに移動したときは、シャフトによる拘束が解かれて、変位部材は、ロープに引き寄せられて回転する。これによって、ロープの他端は、連結部分から外れ、留め輪をくぐり抜け、ロープによる捕獲ネットの支持が解かれ、捕獲ネットは、落下する。
【先行技術文献】
【特許文献】
【０００３】
【特許文献１】実用新案登録第３１６３２７２号公報
【考案の概要】
【考案が解決しようとする課題】
【０００４】
ところで、動物捕獲装置にて捕獲される動物は、自然に生息しているものであるから、動物捕獲装置は、屋外に設置される。そのため、動物捕獲装置は、雨等に曝されることとなる。このような場合、雨等に曝される露出した部分が、腐食してしまうこともある。動物を捕獲する捕獲ネットを、地面から所定の高さだけ上方の位置で地面に対向するように設置すると共に、捕獲ネットをリリースし、地面に落下させるための機構部が、特許文献１のような可動部を含む構成である場合において、可動部が腐食すると、捕獲ネットのスムーズな落下が阻害され、好適に動物を捕獲することができなくなることもある。そのため、可動部がスムーズに動作するよう、例えば、定期的にメンテナンスを行う必要がある。なお、捕獲ネットを落下させる際、可動部が好適に動作しなければ、捕獲ネットを好適に落下させることができない。この場合、動物の捕獲は、失敗する。
【０００５】
本考案は、好適に動物を捕獲することが可能なシンプルな構成の動物捕獲装置を提供することを目的とする。
【課題を解決するための手段】
【０００６】
上記従来の課題に鑑みなされた本考案の一側面は、屋外に設置され、動物を捕獲するための動物捕獲装置であって、地面から所定の高さだけ上方となる位置で地面に対向するように設置され、設置された位置から地面に落下して、動物を捕獲する捕獲ネットと、前記捕獲ネットを、地面から所定の高さだけ上方となる位置で地面に対向するように設置するための支柱であって、所定の間隔を隔てて、それぞれが地面に対して立った状態で固定される、複数の第一支柱と、前記第一支柱が地面に固定された状態で、地面から所定の高さだけ上方となる前記第一支柱の上部に、それぞれ取り付けられると共に、前記第一支柱の上部に取り付けられた状態で、前記捕獲ネットの外縁に、それぞれ取り付けられ、前記捕獲ネットを、前記第一支柱それぞれに連結する、連結部と、を備え、前記連結部は、前記捕獲ネットの外縁に取り付けられ、磁性体によって形成される被吸引部と、前記第一支柱の上部に取り付けられ、磁力が発生した状態と、磁力が発生していない状態と、に切り替えられ、磁力が発生した状態では、発生した磁力によって、前記被吸引部と連結された状態となり、磁力が発生していない状態では、前記被吸引部と非連結状態となる、ホルダと、を含む、動物捕獲装置である。
【０００７】
これによれば、捕獲ネットを、地面から所定の高さだけ上方の位置で地面に対向するように設置し、この位置から落下させるための機構部が、被吸引部及びホルダを含む連結部によって構成され、捕獲ネットの設置及び落下を、ホルダからの磁力の発生及び未発生によって、実現することができる。捕獲ネットを落下させるための機構として、例えば可動部のような複雑な構成を含まないため、メンテナンス性に優れた動物捕獲装置とすることができる。被吸引部及びホルダが非連結状態となり、捕獲ネットが落下する際、捕獲ネットの外縁に取り付けられた被吸引部も落下するため、捕獲ネットを好適に落下させることができる。
【０００８】
この動物捕獲装置は、次のようにすることもできる。前記ホルダは、給電されていない状態で、磁力を発生し、発生した磁力によって、前記被吸引部と連結された状態となり、給電された状態では、磁力を発生せず、前記被吸引部と非連結状態となる、ようにしてもよい。これによれば、ホルダにおける磁力の発生及び未発生を、ホルダへの給電の有無によって、切り替えることができる。ホルダは、給電された場合に、磁力を発生しなくなる。そのため、ホルダへの給電は、捕獲ネットを落下させるタイミングで行えばよく、動物の捕獲前において、捕獲ネットを上方の位置に設置しておく際には、必要ない。従って、省エネルギーを実現することができる。
【０００９】
また、前記連結部は、前記被吸引部と前記ホルダとが連結される連結方向のうち、前記被吸引部が設けられる側が開口し、且つ、前記連結方向に延在する、筒状である被覆部を、含み、前記ホルダは、筒状である前記被覆部の内部空間に収容され、前記被吸引部は、前記ホルダに連結される場合、前記被覆部の開口から、前記被覆部の内部空間に挿入され、前記被覆部は、連結された状態の前記被吸引部及び前記ホルダを、前記被覆部の内部空間に収容する、ようにしてもよい。これによれば、ホルダ全体が、雨等に曝されることを低減することができる。従って、ホルダが腐食及び／又は故障することを抑制することができる。
【００１０】
また、前記連結部は、前記ホルダを、前記第一支柱の上部に取り付けるための取付機構を含み、前記取付機構は、鉛直方向に延在する鉛直部分を含むフック部と、前記フック部の鉛直部分を基準として、鉛直方向に移動し、且つ、回動すると共に、前記フック部に引っ掛けられるリング部と、を含み、前記フック部は、前記被吸引部と前記ホルダとが連結される連結方向において前記被吸引部と連結される前記ホルダの面と反対側の面、及び、前記第一支柱の上部のうちの、何れか一方に取り付けられ、前記リング部は、前記連結方向において前記被吸引部と連結される前記ホルダの面と反対側の面、及び、前記第一支柱の上部のうちの、何れか他方に取り付けられる、ようにしてもよい。これによれば、雨又は風等によって、捕獲ネットが揺れたとしても、捕獲ネットを、地面から所定の高さだけ上方の位置に、好適に設置し続けることができる。
【００１１】
また、前記捕獲ネットは、前記捕獲ネットの外縁を第一の方向に架設された金属製の第一線材と、前記捕獲ネットの外縁を前記第一の方向に交差する第二の方向に架設された金属製の線材であって、前記第一線材と交差する第二線材と、を含み、前記動物捕獲装置は、地面に固定されていない状態で、地面に立てられ、地面に接する一端と反対側である他端において、前記第一線材及び前記第二線材が交差する交差部に接し、地面から所定の高さだけ上方となる位置で地面に対向するように設置された前記捕獲ネットを、支持する第二支柱を、備える、ようにしてもよい。これによれば、捕獲ネットが、自重により弛むことを抑制し、地面から所定の高さだけ上方の位置に、好適に設置された状態とすることができる。第二支柱は、捕獲ネットの自重により、地面の側に押され、これによって、地面に立っている。そのため、動物を捕獲するに際し、被吸引部及びホルダを非連結状態とし、捕獲ネットを、第一支柱に対して非連結の状態とすれば、第二支柱は、支えを失い、自然に倒れる。従って、捕獲ネットを、スムーズに落下させることができる。
【考案の効果】
【００１２】
本考案によれば、好適に動物を捕獲することが可能なシンプルな構成の動物捕獲装置を得ることができる。
【図面の簡単な説明】
【００１３】
【図１】動物捕獲装置の概略構成であって、動物捕獲装置が設置された状態を説明する図である。
【図２】図１のＭ−Ｍ線端面図であって、第一支柱及び第二支柱の設置状態を説明する図である。
【図３】図１のＮ部を詳細に示す図であって、連結部の一例を示す部分断面図である。（Ａ）は、図１のＨ矢視図である。（Ｂ）は、図１のＶ矢視図である。
【図４】連結部の他の例を示す部分断面図であって、（Ａ）は、図１のＨ矢視に対応する図である。（Ｂ）は、図１のＶ矢視に対応する図である。
【図５】動物捕獲装置を含む動物捕獲システムの概略構成を説明する図である。
【考案を実施するための形態】
【００１４】
本考案を実施するための実施形態について、図面を用いて説明する。本考案は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１５】
＜動物捕獲装置＞
動物捕獲装置１について、図１及び図２等を参照して説明する。図１及び図２では、連結部３０は、簡略化して図示されている。動物捕獲装置１は、鳥獣類、例えば、烏等の鳥類、及び／又は、鹿、猿、猪等の陸上動物を捕獲するための装置である。動物捕獲装置１は、このような動物による被害（鳥獣害）が発生しているような屋外に設置され、動物を捕獲するために用いられる。図１では、捕獲対象の動物として、鹿が図示されている（図５において同じ）。動物捕獲装置１は、捕獲ネット１０と、複数の第一支柱２０と、連結部３０と、複数の第二支柱４０を備える。
【００１６】
捕獲ネット１０は、地面Ｇ（図１で網点を付した四角形領域参照）から所定の高さだけ上方となる位置で地面Ｇに対向するように設置され、設置された位置から地面Ｇに落下して、動物を捕獲する。捕獲ネット１０は、例えば図１に示すように、１辺の寸法が１８ｍ程度の正方形状で、地面Ｇから、３ｍ程度の高さの位置に設置される。捕獲ネット１０において、網目のサイズは、例えば１５０ｍｍ程度とされる。捕獲ネット１０は、正方形状の他、長方形状若しくはその他多角形状、又は、円若しくは楕円状等、各種の形状とすることができる。捕獲ネット１０の設置高さ、及び、網目サイズは、捕獲対象となる動物によって、適宜設定するとよい。捕獲ネット１０は、捕獲ネット１０の外縁を形成する側辺Ｌ１〜側辺Ｌ４の部分を、ステンレス又は鋼材等の金属製の線材で形成し、これに、例えばステンレス線入りのネット（ネット本体）を取り付けたような構成を有する。
【００１７】
捕獲ネット１０は、第一線材１１及び第二線材１２を含む。図１において、第一線材１１及び第二線材１２は、捕獲ネット１０を形成する他の部分と比較し、太い線で図示されている（図２及び図４において同じ）。第一線材１１及び第二線材１２は、捕獲ネット１０の外縁としての側辺Ｌ１〜側辺Ｌ４を形成するステンレス又は鋼材等の金属製の線材と、同様の線材である。第一線材１１は、捕獲ネット１０の外縁、詳細には、側辺Ｌ１と、側辺Ｌ１に対向した側辺Ｌ３の間を、第一方向としてのＸ方向に架設された線材である。第二線材１２は、捕獲ネット１０の外縁、詳細には、側辺Ｌ２と、側辺Ｌ２に対向した側辺Ｌ４の間を、第二方向としてのＹ方向に架設された線材である。図１に示す捕獲ネット１０では、２本の第一線材１１は、側辺Ｌ１及び側辺Ｌ３のそれぞれを３等分した各位置に、側辺Ｌ２及び側辺Ｌ４に平行となるように架設されている。２本の第二線材１２は、側辺Ｌ２及び側辺Ｌ４のそれぞれを３等分した各位置に、側辺Ｌ１及び側辺Ｌ３に平行となるように架設されている。Ｘ方向及びＹ方向の各方向は、互いに交差、具体的には、直交する関係を有する。従って、第一線材１１及び第二線材１２は、それぞれ交差する。捕獲ネット１０において、第一線材１１及び第二線材１２は、これとは異なる位置に配置されてもよい。例えば、捕獲ネット１０の対角位置に、それぞれ１本ずつ配置するようにしてもよい。このような配置であっても、第一線材１１及び第二線材１２は、それぞれ交差する。この場合、一方の対角線の方向が、第一方向と定義され、他方の対角線の方向が、第二方向と定義される。
【００１８】
複数の第一支柱２０は、それぞれが地面Ｇに対して立った状態で固定される。第一支柱２０の地面Ｇへの固定は、例えば図２に示すように、第一支柱２０の下部を地面Ｇに埋設して行われる。図１に示す例では、４本の第一支柱２０が、正方形状の捕獲ネット１０の四隅に対応した地点に、それぞれ配置され、且つ、１辺あたり２本の第一支柱２０が、側辺Ｌ１〜側辺Ｌ４の各側辺を、それぞれ３等分した各位置に対応した地点に、配置されている。即ち、合計１２本の第一支柱２０が、捕獲ネット１０の外縁を囲むように、所定の間隔を隔てて、前述した状態で固定されている。
【００１９】
連結部３０は、第一支柱２０が地面Ｇに固定された状態で、地面Ｇから所定の高さ、図１に示す例では、３ｍだけ上方となる第一支柱２０の上部に、それぞれ取り付けられる。従って、動物捕獲装置１は、連結部３０を、第一支柱２０と同数だけ備える。連結部３０は、第一支柱２０の上部に取り付けられた状態で、捕獲ネット１０の外縁に、それぞれ取り付けられる。即ち、連結部３０は、捕獲ネット１０を、第一支柱２０それぞれに連結する。連結部３０によって、複数の第一支柱２０に連結された捕獲ネット１０は、上述したように、地面Ｇから所定の高さ（例えば３ｍ）だけ上方となる位置で地面Ｇに対向するように設置される。連結部３０の詳細については、後述する。
【００２０】
第二支柱４０は、図２に示すように、地面Ｇに固定されていない状態で、地面Ｇに立てられる。第二支柱４０は、地面Ｇに立てられた状態で、地面Ｇに接する一端と反対側である他端において、第一線材１１及び第二線材１２が交差する交差部に接する。即ち、第二支柱４０は、地面Ｇから所定の高さ（例えば３ｍ）だけ上方となる位置で地面Ｇに対向するように設置された捕獲ネット１０を、支持する。図１に示す例では、第一線材１１及び第二線材１２は、それぞれ２本架設されているから、第一線材１１及び第二線材１２が交差する交差部は、図１に示すように、交差部Ｐ１〜交差部Ｐ４の４箇所である。従って、動物捕獲装置１は、４本の第二支柱４０を備え、捕獲ネット１０は、交差部Ｐ１〜交差部Ｐ４に対応した内部領域で、４本の第二支柱４０に支持される。
【００２１】
＜連結部＞
連結部３０について、図３等を参照して説明する。図３は、正方形状の捕獲ネット１０の四隅に対応した地点に配置された第一支柱２０の上部に取り付けられた連結部３０を示す図である。図３において、ハッチングは、断面を示すものである。
【００２２】
連結部３０は、被吸引部３２と、ホルダ３４と、被覆部３６と、取付機構５０を含む。被吸引部３２は、磁性体によって形成され、捕獲ネット１０の外縁に取り付けられる。被吸引部３２は、リング部材３２１を含む。リング部材３２１は、連結方向において、ホルダ３４に吸引され、ホルダ３４と連結される被吸引面３２Ｓと反対側の面で、被吸引部３２に取り付けられる。連結方向は、被吸引部３２とホルダ３４が連結される方向である。取り付けは、ねじ止め等によって実現される。リング部材３２１には、捕獲ネット１０の側辺Ｌ１〜側辺Ｌ４が、連結又は通される。正方形状の捕獲ネット１０の四隅に対応した地点に配置された第一支柱２０の上部に取り付けられた連結部３０に関し、例えば、図１のＮ部に対応した図３の被吸引部３２を例とすれば、この被吸引部３２のリング部材３２１には、側辺Ｌ３及び側辺Ｌ４の端部が、連結される。この連結は、例えば、側辺Ｌ３及び側辺Ｌ４の先端を、リング部材３２１の貫通孔３２２に通し、側辺Ｌ３及び側辺Ｌ４の端部を、環状とすることで実現される。捕獲ネット１０の四隅以外の地点に配置された第一支柱２０の上部に取り付けられた連結部３０では、リング部材３２１の貫通孔３２２に、側辺Ｌ１〜側辺Ｌ４の何れかが通される。
【００２３】
ホルダ３４は、磁力が発生した状態と、磁力が発生していない状態と、に切り替えられる部材によって構成される。磁力の発生及び未発生は、ホルダ３４への給電の有無によって切り替えられる。具体的に、ホルダ３４は、給電されていない状態で、磁力を発生し、給電された状態では、磁力を発生しない。従って、ホルダ３４に給電されていない場合、ホルダ３４は、磁力を発生し、発生した磁力によって、被吸引部３２と連結された状態となる。一方、ホルダ３４に給電されている場合、ホルダ３４は、磁力を発生せず、被吸引部３２と非連結状態となる。この場合、被吸引部３２が取り付けられ、地面Ｇから所定の高さだけ上方となる位置で地面Ｇに対向するように設置された捕獲ネット１０は、地面Ｇに落下する。ホルダ３４は、例えば、株式会社下西製作所製の永電磁ホルダによって構成される。ただし、株式会社下西製作所製の永電磁ホルダ同様、給電の有無等によって、磁力の発生の有無を切り替えることが可能な部材であれば、ホルダ３４として採用することができる。
【００２４】
被覆部３６は、プラスチック又はゴム等の樹脂材等によって形成される。被覆部３６は、連結方向のうち、被吸引部３２が設けられる側が開口し、且つ、連結方向に延在する筒状である。筒状である被覆部３６の内部空間３６１には、ホルダ３４が収容される。被覆部３６の底部３６３には、貫通孔３６５が形成されている。貫通孔３６５には、後述するリング部５８が挿通される。内部空間３６１には、さらに、被吸引部３２が、ホルダ３４に連結された状態で、収容される。即ち、被吸引部３２は、内部空間３６１に収容されているホルダ３４に連結される場合、被覆部３６の開口から内部空間３６１に挿入される。このように、被覆部３６は、連結された状態の被吸引部３２及びホルダ３４を、内部空間３６１に収容する。
【００２５】
取付機構５０は、ホルダ３４を、第一支柱２０の上部に取り付けるための機構である。取付機構５０は、フック部５２と、リング部５８を含む。フック部５２は、フック本体部５４と、クランプ部５６を含む。フック本体部５４は、所定の太さの棒材（例えば、丸棒材）を、曲げ加工して形成され、クランプ部５６と一体的に構成される。フック本体部５４は、図３に示すように、鉛直方向に延在する鉛直部分５４１と、水平方向に延在する水平部分５４３を含む。連結部３０が、図３に示す状態であるとき、連結方向は、水平方向に一致する。鉛直部分５４１と水平部分５４３を繋ぐコーナー部分５４５は、図３（Ａ）に示すように、所定の曲率とされている。クランプ部５６は、図３（Ａ）に示すように、鉛直部分５４１が水平部分５４３より上側で、且つ、鉛直部分５４１が鉛直となるよう、第一支柱２０の上部に取り付けられる。これによって、フック部５２は、第一支柱２０の上部に取り付けられた状態となる。
【００２６】
リング部５８は、連結方向において、被吸引部３２を吸引し、被吸引部３２と連結される吸引面３４Ｓと反対側の面で、ホルダ３４に取り付けられる。取り付けは、例えば、ねじ止めによって実現される。リング部５８には、上述した状態で、第一支柱２０の上部に取り付けられたフック部５２のフック本体部５４、具体的には、鉛直部分５４１が、挿入される。これによって、リング部５８は、第一支柱２０の上部に取り付けられたフック部５２に引っ掛けられた状態となり、ホルダ３４は、被覆部３６の内部空間３６１に収容された状態で、第一支柱２０の上部に取り付けられる。
【００２７】
リング部５８は、鉛直部分５４１を基準として、鉛直方向に移動することができる（図３（Ａ）で「鉛直移動」と記載の両矢の矢印参照）。なお、リング部５８は、コーナー部分５４５を介して水平部分５４３に移動可能で、水平部分５４３を水平方向に移動することもできる。また、リング部５８は、鉛直部分５４１を基準として、回動することができる（図３（Ｂ）で「回動」と記載の両矢の矢印参照）。リング部５８の内径は、フック部５２の外径より径大であって、このような移動及び回動が、スムーズに行われるような寸法とされる。従って、リング部５８を介してフック部５２に引っ掛けられたホルダ３４は、鉛直部分５４１を基準として、鉛直方向に移動し、回動することができる。
【００２８】
取付機構５０は、図３に示す構成の他、図４に示すような取付機構６０としてもよい。図４（Ａ），（Ｂ）は、それぞれ、図３（Ａ），（Ｂ）に対応する。取付機構６０によっても、取付機構５０と同様の機能を得ることができる。取付機構６０は、フック部６２と、リング部６４を含む。フック部６２は、フック本体部５４と同様にして形成され、鉛直部分６２１と、水平部分６２３を含む。フック部６２は、連結方向において、吸引面３４Ｓと反対側の面で、ホルダ３４に取り付けられる。このとき、フック部６２は、貫通孔３６５に挿通される。ホルダ３４への取り付けは、リング部５８と同様にして行われる。
【００２９】
リング部６４は、リング本体部６６と、クランプ部６８を含み、両者は、一体的に構成される。クランプ部６８は、図４（Ａ）に示すように、リング本体部６６の貫通孔６６１の軸心方向が鉛直となるよう、第一支柱２０の上部に取り付けられる。鉛直部分６２１は、図４（Ａ）に示すように、鉛直な状態で、リング本体部６６（貫通孔６６１）に挿入される。これによって、フック部６２は、第一支柱２０の上部に取り付けられたリング部６４に引っ掛けられた状態となり、ホルダ３４は、被覆部３６の内部空間３６１に収容された状態で、第一支柱２０の上部に取り付けられる。
【００３０】
鉛直部分６２１がリング本体部６６に挿入された状態で、鉛直部分６２１は、鉛直方向に移動し、回動することができる。従って、取付機構６０においても、取付機構５０の場合と同様に、フック部６２を介してリング部６４に引っ掛けられたホルダ３４は、鉛直方向に移動し（図４（Ａ）で「鉛直移動」と記載の両矢の矢印参照）、鉛直部分６２１を基準として、回動することができる（図４（Ｂ）で「回動」と記載の両矢の矢印参照）。なお、取付機構６０における鉛直移動及び回動等に関し、鉛直部分６２１を基準とすれば、リング本体部６６（リング部６４）は、鉛直部分６２１を鉛直方向に移動し、且つ、回動すると共に、フック部６２に引っ掛けられることとなる。フック部６２、鉛直部分６２１、リング本体部６６及びクランプ部６８は、それぞれ、取付機構５０における、フック部５２（フック本体部５４）、鉛直部分５４１、リング部５８及びクランプ部５６に対応する構成である。従って、取付機構６０について、この他の説明は、省略する。
【００３１】
＜動物捕獲システム＞
動物捕獲装置１を備える動物捕獲システム７について、図５等を参照して説明する。図５では、連結部３０は、簡略化して図示されている。動物捕獲システム７は、動物捕獲装置１の他、暗視カメラ７１と、赤外線ライト７３と、電源７５と、コントロールボックス７７と、モニタ装置７９と、スイッチ８１を備える。暗視カメラ７１は、図１に示すように、地面Ｇに設置された動物捕獲装置１を撮像する。赤外線ライト７３は、赤外線を照射する。赤外線ライト７３は、暗視カメラ７１にて撮像された画像の状態に応じて、複数台設置するようにしてもよい。図５に示す動物捕獲システム７は、２台の赤外線ライト７３を備える。暗視カメラ７１の台数は、暗視カメラ７１にて撮像された画像の状態に応じて、適宜変更するとよい。電源７５は、暗視カメラ７１と、赤外線ライト７３と、コントロールボックス７７と、モニタ装置７９に、電気的に接続され、これら各部に、電力を供給する。電源７５によって供給される電力の電圧は、例えば、１００Ｖである。
【００３２】
コントロールボックス７７は、動物捕獲装置１が備える全てのホルダ３４に、電気的に接続され、ホルダ３４それぞれに対する電力の供給を制御する。コントロールボックス７７は、電源７５から供給される電力の電圧を変換する。例えば、電圧を、１００Ｖから２４Ｖに変換する。コントロールボックス７７には、スイッチ８１が、電気的に接続されている。コントロールボックス７７は、スイッチ８１がオンされた場合、２４Ｖの電力を、ホルダ３４に供給する。
【００３３】
モニタ装置７９は、暗視カメラ７１にて撮像された画像を表示する。スイッチ８１は、コントロールボックス７７から、ホルダ３４への電力の供給を開始させるためのスイッチであって、監視者によって、操作される。例えば、スイッチ８１が操作され、スイッチ８１がオンされた場合、コントロールボックス７７から、ホルダ３４に、２４Ｖの電力が供給される。動物捕獲システム７において、モニタ装置７９及びスイッチ８１は、例えば図５に示すように、監視者が待機する監視小屋８３内に設置される。動物捕獲装置１と、監視小屋８３は、数十メートル〜１００メートル程度、離れている。
【００３４】
動物捕獲システム７によって、例えば図５に示すような鹿等の動物を捕獲する場合、動物捕獲装置１を、例えば、これら動物が現れ、被害（鳥獣害）が発生している屋外に設置する。その後、捕獲ネット１０の下側となる地面Ｇに、餌を置く。この状態で、監視者は、監視小屋８３に移動し、モニタ装置７９を確認しつつ、鹿等の動物が、捕獲ネット１０の下側に入り込むまで、待機する。監視者は、待機中、例えば図５に示すように、捕獲対象の動物が、捕獲ネット１０の下側に来たとき、スイッチ８１をオンさせる。これによって、コントロールボックス７７から、全てのホルダ３４に電力が供給される。ホルダ３４は、磁力が発生していない状態となり、ホルダ３４と、被吸引部３２は、非連結状態となる。これに伴い、被吸引部３２が取り付けられた捕獲ネット１０は、落下し、捕獲ネット１０の下側にいた動物が捕獲される。その後、監視者は、動物捕獲装置１が設置された場所に向かい、捕獲された動物を、適切に処理する。なお、このような動物の捕獲は、夜間に行われる。日中、行う場合、暗視カメラ７１は、通常のカメラとされ、赤外線ライト７３は、省略される。
【００３５】
＜本実施形態による効果＞
本実施形態によれば、次のような効果を得ることができる。
【００３６】
（１）動物捕獲装置１では、給電されていない状態で磁力を発生し、給電された状態で磁力を発生しないホルダ３４を用い、被吸引部３２とホルダ３４の連結を実現することとした。そのため、捕獲ネット１０を、地面Ｇから所定の高さだけ上方の位置で地面Ｇに対向するように設置し、この上方位置から落下させるための機構部を、被吸引部３２及びホルダ３４を含む、シンプルな構成の連結部３０によって構成することができる。連結部３０は、シンプルな構成であるため、メンテナンス回数を少なくすることが可能であり、メンテナンス性に優れた動物捕獲装置１とすることができる。被吸引部３２及びホルダ３４が非連結状態となり、捕獲ネット１０が落下する際、被吸引部３２も落下するため、捕獲ネット１０を好適に落下させることができる。給電された状態で磁力を発生しないホルダ３４としたため、捕獲ネット１０を、地面Ｇから所定の高さだけ上方の位置で地面Ｇに対向するように設置している状態では、給電は不要である。そのため、省エネルギーを実現することができる。
【００３７】
（２）連結された状態の被吸引部３２及びホルダ３４を、被覆部３６の内部空間３６１に収容することとした。そのため、動物捕獲装置１を屋外に設置した状態において、被吸引部３２及びホルダ３４が、露出し、雨等に曝されることを低減することができる。従って、ホルダ３４が腐食及び／又は故障するといった事態の発生を抑制することができる。
【００３８】
（３）第一支柱２０の上部へのホルダ３４の取り付けを、鉛直移動及び回動可能な取付機構５０（取付機構６０）を介して行うこととした。そのため、雨又は風等によって、地面Ｇから所定の高さだけ上方の位置で地面Ｇに対向するように設置された捕獲ネット１０が揺れたとしても、ホルダ３４の鉛直方向の位置及び向きを、揺れに対応した方向とすることができる。捕獲ネット１０の揺れに起因し、被吸引面３２Ｓ及び吸引面３４Ｓに作用する力を低減させ、落下のタイミングではないタイミングで、被吸引部３２及びホルダ３４が、非連結状態となることを抑制することができる。従って、捕獲ネット１０を、地面Ｇから所定の高さだけ上方の位置に、好適に設置し続けることができる。なお、捕獲ネット１０の揺れに起因し、被吸引面３２Ｓ及び吸引面３４Ｓに作用する力は、被吸引部３２及びホルダ３４の連結を阻害する。
【００３９】
（４）捕獲ネット１０の寸法が、例えば、上述したような寸法（図１参照）である場合、捕獲ネット１０が、地面Ｇから所定の高さだけ上方の位置で地面Ｇに対向するように設置された場合、捕獲ネット１０の中心を含む内部領域で、捕獲ネット１０が弛むことが想定される。この点に関し、動物捕獲装置１では、捕獲ネット１０が、第一線材１１及び第二線材１２を含み、第一線材１１及び第二線材１２が交差する交差部Ｐ１〜交差部Ｐ４の位置に、第二支柱４０を地面Ｇに対して固定されていない状態で設けることとした。そのため、捕獲ネット１０を第二支柱４０で支え、捕獲ネット１０が弛むことを防止することができる。第二支柱４０は、捕獲ネット１０の自重により、地面Ｇの側に押され、これによって、地面Ｇに立っている。そのため、被吸引部３２及びホルダ３４を非連結状態とし、捕獲ネット１０を、第一支柱２０に対して非連結の状態とすれば、第二支柱４０は、支えを失い、自然に倒れる。従って、第二支柱４０を設けたとしても、捕獲ネット１０を、スムーズに落下させることができる。
【符号の説明】
【００４０】
１  動物捕獲装置
１０  捕獲ネット、  Ｌ１〜Ｌ４  側辺
１１  第一線材、  １２  第二線材、  Ｐ１〜Ｐ４  交差部
２０  第一支柱
３０  連結部、  ３２  被吸引部、  ３２Ｓ  被吸引面、  ３２１  リング部材
３２２  貫通孔
３４  ホルダ、  ３４Ｓ  吸引面
３６  被覆部、  ３６１  内部空間、  ３６３  底部、  ３６５  貫通孔
４０  第二支柱
５０  取付機構、  ５２  フック部、  ５４  フック本体部、  ５４１  鉛直部分
５４３  水平部分、  ５４５  コーナー部分、  ５６  クランプ部、  ５８  リング部
６０  取付機構、  ６２  フック部、  ６２１  鉛直部分、  ６２３  水平部分
６４  リング部、  ６６  リング本体部、  ６６１  貫通孔、  ６８  クランプ部
７  動物捕獲システム、  ７１  暗視カメラ、  ７３  赤外線ライト、  ７５  電源
７７  コントロールボックス、  ７９  モニタ装置、  ８１  スイッチ
８３  監視小屋、  Ｇ  地面
【図１】
0003171225.tif 000003
【図２】
0003171225.tif 000004
【図３】
0003171225.tif 000005
【図４】
0003171225.tif 000006
【図５】
0003171225.tif 000007